(57)【特許請求の範囲】
【請求項１】
前後面を開放したケース本体の庫内に上下段に並ぶ商品陳列棚を備えた冷蔵ショーケースであり、ケース本体の天井部の周囲四辺に配したキャノピーフロントパネルの両端とケース本体の四隅に立てた支柱の化粧カバーとの間の突き合わせ継目を樹脂成形品作られたコーナーキャップで覆ったものにおいて、前記コーナーキャップの上面にねじ穴，側面の内面側に縦方向のリブ状突起を形成し、ケース本体の組立状態で、キャノピーフロントパネルとコーナーキャップとの間を１本の締結ねじで共締めするとともに、コーナーキャップのリブ状突起を支柱の化粧カバーの上端に形成した切欠溝に差し込んで両者間を嵌め合い式に連結したことを特徴とする冷蔵ショーケース。
【請求項２】
請求項１記載の冷蔵ショーケースにおいて、コーナーキャップに形成したリブ状突起をキャップの左右両サイドに振り分けて二箇所に形成したことを特徴とする冷蔵ショーケース。
【請求項３】
請求項１，または２記載の冷蔵ショーケースにおいて、コーナーキャップに形成したリブ状突起を断面Ｌ字状のかぎ形となし、該リブ状突起を支柱の化粧カバーの切欠溝に差し込んで係合させたことを特徴とする冷蔵ショーケース。
【発明の詳細な説明】
【０００１】
【発明の属する技術分野】
本発明は、前後面を開放したケース本体の庫内に上下段に並ぶ商品陳列棚を備えた両面多段形冷蔵ショーケース、特にそのケース本体の組立構造に関する。
【０００２】
【従来の技術】
頭記した両面多段形冷蔵ショーケースは、特願平７−１６１３号として本発明と同一出願人より既に提案されている。
図６はかかる両面多段形冷蔵シオープンショーケースの構成概要図であり、図において、１は前後両面を開放ししたケース本体、２は庫内中央に立てた棚支柱３に上下段に並べて架設した商品陳列棚である。なお、冷却器，庫内ファン，庫内の冷気循環ダクトなどは省略して図中には描かれてない。
【０００３】
ここで、ケース本体１は、基本的に底部側の舟底部４（この舟底部には庫内ファン，冷気エアカーテンの吸込ダクトなどが組み込まれている）と、天井側の上部ダクト５（冷気エアカーテンの吹出側ダクトで、前記舟底部との間がケース本体の側面部に画成して冷却器を内蔵した立ち上がりダクト（図示せず）を介して連通している）と、舟底部４の周囲四隅に立てて上部ダクト５を支える支柱とからなる。なお、前記した立ち上がりダクトと反対側の側面は庫内を透視できるように例えばガラス板で覆われている。
【０００４】
また、前記構成のケース本体１には、外観の体裁を整えるために次記のような外装部品を取付けている。すなわち、ケース本体の四隅に立てた支柱には板金製の化粧カバー６を被せ、さらに上部ダクト５の周囲四辺には庫内照明用の螢光灯などを取付けるキャノピーフロントパネル７を配備するとともに、前記化粧カバー６の上端と各キャノピーフロントパネル７の左右両端との突き合わせ部の継目を覆い隠すように上部四隅には通称トリムと呼ばれる樹脂成形品のコーナーキャップ８を取付け、ここでコーナーキャップ８と化粧カバー６の上端，およびキャノピーフロントパネル７の両端との間を個別にねじ止めして相互連結するようにしている。
【０００５】
【発明が解決しようとする課題】
ところで、前記したケース本体の従来の組立構造では、上部の四隅に設けたコーナーキャップ８とキャノピーフロントパネル７，および支柱の化粧カバー６との間をそれぞれ個別にねじ止めして結合するようにしており、そのために使用する締結ねじの本数，したがって組立工数が多くなるほか、そのねじ頭が外周面に露呈することから外観の見栄えが悪くなるといった問題点がある。
【０００６】
本発明は上記の点にかんがみなされたものであり、その目的は前記したコーナーキャップの取付け構造に関して、締結ねじの使用本数を最小限に減らして外見上の見栄えを改善し、併せてガタ付きなしに支柱の化粧カバー，キャノピーフロントパネルと相互連結できるように改良した冷蔵ショーケースを提供することにある。
【０００７】
【課題を解決するための手段】
上記目的を達成するために、本発明の構成によれば、ケース本体の天井部の周囲四辺に配したキャノピーフロントパネルの両端とケース本体の四隅に立てた支柱の化粧カバーとの間の突き合わせ継目をコーナーキャップで覆った冷蔵ショーケースのケース本体組立構造において、前記コーナーキャップの上面にねじ穴，側面の内面側に縦方向のリブ状突起を形成し、ケース本体の組立状態で、キャノピーフロントパネルとコーナーキャップとの間を１本の締結ねじで共締めするとともに、コーナーキャップのリブ状突起を支柱の化粧カバーの上端に形成した切欠溝に差し込んで両者間を嵌め合い式に連結するものとする。
【０００８】
また、前記構成においては、リブ状突起をコーナーキャップの左右両サイドに振り分けて二箇所に設けるのがよく、さらに該リブ状突起を断面Ｌ字状のかぎ形に形成し、支柱の化粧カバーの切欠溝に差し込んで係合させるのが好ましい。
上記の構成によれば、コーナーキャップとキャノピーフロントパネルとの間がキャップの上面側から螺合した締結ねじで共締めされているので、そのねじ頭がショーケースの前方に露呈して見栄えを悪化することがない。また、コーナーキャップと支柱の化粧カバーとの間を、キャップの裏面側に形成したリブ状突起と化粧カバーの上端に形成した切欠溝とで嵌め合い結合したので、両者の間がガタ付きなしに結合される。
【０００９】
さらに、前記リブ状突起をかぎ形突起となして支柱の化粧カバーの切欠溝に係止させることにより、コーナーキャップを固定する締結ねじが緩んで万一外れても、かぎ形のリブ状突起と化粧カバーとの間が係合されているのでコーナーキャップが脱落する（ショーケースの使用中にコーナーキャップが脱落すると買い物客に当たる危険がある）おそれはなく、安全である。
【００１０】
【発明の実施の形態】
以下、本発明の具体的な実施例を図１〜図３、および図４に基づいて説明する。なお、実施例の図中で図６に対応する同一部材には同じ符号が付してある。
まず、図２の略示図で示すようにケース本体上部の四隅コーナー部では上部ダクトの外周四辺に配したキャノピーフロントパネル７の左右両端部と支柱の化粧カバー６の上端部とが突き合わされ、その継目を覆い隠すようにコーナーキャップ８を装着した上で、該コーナーキャップ８とキャノピーフロントパネル７，および化粧カバー６との間を締結ねじ９，および後記の突起／切欠溝の嵌め合いで相互連結するようにしている。
【００１１】
ここで、コーナーキャップ８は樹脂成形品として作られており、図３で示すようにキャップの上面にはねじ穴８ａが開口し、さらに側壁の裏面側には左右両サイドに振り分けて縦方向に伸びた２条のリブ状突起８ｂが一体に成形されている。また、前記コーナーキャップ８のねじ穴８ａに対向してキャノピーフロントパネル７の端部には側方に張り出したねじ座７ａを有し、さらにリブ状突起８ｂに対向して支柱の化粧カバー６の上端縁には切欠溝６ａが形成されている。
【００１２】
そして、図１（ａ）〜（ｃ）で示すようにケース本体１の組立状態では、コーナーキャップ８に設けたリブ状突起８ｂの先端を化粧カバー６の切欠溝６ａに差込んで両者間を嵌め合い式に連結するとともに、さらにコーナーキャップ８の上面側からねじ穴８ａに締結ねじ９を挿入し、コーナーキャップ８とキャノピーフロントパネル７のねじ座７ａとを重ね合わせて締結ねじ９により共締めする。これにより、支柱の化粧カバー６の上端とキャノピーフロントパネル７の左右端部を突き合わせた継目を覆うように配したコーナーキャップ８が、各コーナーキャップごとに１本の締結ねじ９で組立て位置に固定される。しかも、コーナーキャップ８の上面に螺合された締結ねじ９は、ショーケース前方からの視角には入らず、かつ化粧カバー６とコーナーキャップ８との間が位置決めストッパの役目を果たす左右２条のリブ状突起８ｂと切欠溝６ａの嵌め合いでガタ付きなしに結合される。なお、図１（ｃ）において、１０は図４の舟底部４と上部ダクト５との間を連結してケース本体１の四隅に立てた支柱であり、該支柱１０とこれを包囲する化粧カバー６との間が適宜箇所でねじ止めされている。
【００１３】
次に、前記コーナーキャップ８を改良した応用実施例を図４，図５に示す。まず、図４に示すコーナーキャップ８では、キャップ側壁の裏面側に形成した左右二条のリブ状突起８ｂの形状が、断面がＬ字状に屈曲したかぎ形突起として形成されている。なお、かぎ形の向きは図示のように左側のリブと右側のリブとでは互いに逆向きにしておくのがよい。
【００１４】
かかる構成により、図５で示すコーナーキャップ８の装着状態では、支柱の化粧カバー６の切欠溝６ａに嵌まり込んだリブ状突起８ｂのかぎ形先端部８ｂ-1が係止ストッパとして化粧カバー６に係合している。したがって、ショーケースの使用中にコーナーキャップ８を固定している締結ねじ９が緩んで万一外れても、かぎ形のリブ状突起８ｂと化粧カバー６とが係合し合っているので、コーナーキャップ８が不測に脱落するおそれはない。
【００１５】
【発明の効果】
本発明の冷蔵ショーケースは、以上説明したように構成されているので、次記の効果を奏する。
１）ケース本体の上部四隅に配して支柱の化粧カバーとキャノピーフロントパネルとの突き合わせ部の継目を覆うコーナーキャップに対し、各コーナーキャップごとに１本の締結ねじを使用するだけで各部材の相互間を連結することができ、しかも締結ねじはショーケース前方からは見えることがなくて外観上の体裁を損なうことがない。
【００１６】
２）コーナーキャップの取付けに使用する締結ねじの本数が、従来の組立構造と較べて少なくて済むので、その分だけ組立工数が削減できてショーケース組立作業の能率アップが図れる。
３）コーナーキャップに形成したリブ状突起をかぎ形突起となすことにより、キャップを固定している締結ねじが緩んで万一外れても、コーナーキャップが不測に脱落するのを防止することができる。
【図面の簡単な説明】
【図１】本発明の実施例によるケース本体上部コーナー部の組立構造を表す図であり、（ａ）は上面図、（ｂ),（ｃ）はそれぞれ（ａ）図における矢視Ｐ，Ｑ方向から見た側面図
【図２】図１の分解斜視図
【図３】図１におけるコーナーキャップの構造図であり、（ａ）は上面図、（ｂ）は断面側視図
【図４】本発明の応用実施例によるコーナーキャップの構造図であり、（ａ）は一部断面の上面図、（ｂ）は側面図
【図５】図４のコーナーキャップをケース本体にの上部コーナーに装着した状態を表す上面図
【図６】本発明の実施対象となる両面多段形オープンショーケース全体の構成概要図
【符号の説明】
１    ケース本体
２    商品陳列棚
６    支柱の化粧カバー
６ａ  切欠溝
７    キャノピーフロントパネル
７ａ  ねじ座
８    コーナーキャップ
８ａ  ねじ穴
８ｂ  リブ状突起
８ｂ-1  かぎ形先端部
９    締結ねじ
【図１】
0003666119.tif 000002
【図２】
0003666119.tif 000003
【図３】
0003666119.tif 000004
【図４】
0003666119.tif 000005
【図５】
0003666119.tif 000006
【図６】
0003666119.tif 000007